(57)【要約】【課題】プリーツフィルタの目詰まりを抑制し、吸引力の持続性を向上させるとともに、目詰り状態を使用者が容易に確認することができる電気掃除機を提供する。【解決手段】  電動送風機を備えた掃除機本体と、前記掃除機本体に着脱可能に取り付けられる集塵装置と、を有し、前記集塵装置は微細な塵埃を捕集する複数の折り目を有するプリーツフィルタを備え、前記プリーツフィルタの複数の折り目の方向の少なくとも一方の端部に開口部を有した電気掃除機であって、前記掃除機本体に前記集塵装置を装着した状態において、前記開口部の少なくとも一部を外側から目視できる位置に配置されている。【選択図】図２１
2019004960.tif 000002
【特許請求の範囲】
【請求項１】
電動送風機を備えた掃除機本体と、前記掃除機本体に着脱可能に取り付けられる集塵装置と、を有し、前記集塵装置は微細な塵埃を捕集する複数の折り目を有するプリーツフィルタを備え、前記プリーツフィルタの複数の折り目の方向の少なくとも一方の端部に開口部を有した電気掃除機であって、前記掃除機本体に前記集塵装置を装着した状態において、前記開口部の少なくとも一部を外側から目視できる位置に配置されていることを特徴とする電気掃除機。
【請求項２】
電動送風機を備えた掃除機本体と、前記掃除機本体に着脱可能に取り付けられる集塵装置と、を有し、前記集塵装置は微細な塵埃を捕集する複数の折り目を有するプリーツフィルタを備え、前記プリーツフィルタの複数の折り目の方向の少なくとも一方の端部に開口部を有した電気掃除機であって、前記掃除機本体に前記集塵装置を装着した状態において、前記プリーツフィルタの開口部側と直角の向きに前記プリーツフィルタを内包する蓋体のロック機構部を有し、前記開口部の少なくとも一部を外側から目視できる位置に配置されていることを特徴とする電気掃除機。
【請求項３】
請求項１または２に記載の電気掃除機において、前記プリーツフィルタの開口部側と直角の向きに前記プリーツフィルタを内包する蓋体のロック機構部が設けられたことを特徴とする電気掃除機。
【発明の詳細な説明】
【技術分野】
【０００１】
本発明は電気掃除機に関する。
【背景技術】
【０００２】
一般的にスティック型・ハンディ型両用可能な電気掃除機は、電動送風機を有し、吸口から吸い込んだ含塵空気を掃除機本体に導き、この掃除機本体内の集塵装置を通して除塵し、除塵によって清浄された空気を掃除機本体外に排気する構成となっている。このような掃除機では、ハンディ型として取扱い性を良くするため、本体の小型化と軽量化が必要であり、それに伴い集塵装置も小型化する必要がある。そのため、吸引力を長持ちさせるためには、集塵装置内に設けるフィルタ面積を極力大きくすることで目詰まりしないように工夫する必要がある。特許文献１には、集塵装置にプリーツフィルタを設けた電気掃除機が記載されている。
【先行技術文献】
【特許文献】
【０００３】
【特許文献１】特開2004-351148号公報
【発明の概要】
【発明が解決しようとする課題】
【０００４】
しかしながら、特許文献１に記載の電気掃除機では、集塵装置を流れる空気はプリーツフィルタに直行するため、電動送風機の最も吸引力が強くなる中央付近に塵埃が堆積し易い構造であり、プリーツフィルタ全体の面積が目詰まっていなくても早い段階で通気損失による吸引力の低下が発生するおそれがあった。
本発明は、前記従来の問題を解決するものであり、簡単な流路構成により、プリーツフィルタを設けながらも塵埃による通気損失の増加を抑制し、強い吸引力を持続することができ、且つ、プリーツフィルタの詰まり状態を使用者が容易に確認が可能な電気掃除機を提供することができる。
【課題を解決するための手段】
【０００５】
前記課題を解決した本発明の電気掃除機は、電動送風機を備えた掃除機本体と、前記掃除機本体に着脱可能に取り付けられる集塵装置と、を有し、前記集塵装置は微細な塵埃を捕集する複数の折り目を有するプリーツフィルタを備え、前記プリーツフィルタの複数の折り目の方向の少なくとも一方の端部に開口部を形成し、前記開口部は、前記掃除機本体に前記集塵装置を装着した状態において、外側から目視できる位置に配置されていることを特徴とする。
【発明の効果】
【０００６】
本発明によれば、プリーツフィルタの目詰まりを抑制し、吸引力の持続性を向上させるとともに、目詰り状態を使用者が容易に確認することができる。
【図面の簡単な説明】
【０００７】
【図１】スティック型として使用する電気掃除機の全体斜視図である。
【図２】ハンディ型として使用する電気掃除機の左側面図である。
【図３】吸口体を取り外した図２に示す電気掃除機の平面図である。
【図４】図３のIV−IV断面図である。
【図５】図４の集塵装置周りの部分拡大断面図である。
【図６】図４のVI部の部分拡大断面図である。
【図７】図４のVII部の部分拡大断面図である。
【図８】第１ハンドルの分解斜視図である。
【図９】図８のIX−IX断面を部分的に描いた部分断面図である。
【図１０】（ａ）は、ロックアンロック装置の分解斜視図である。（ｂ）は、（ａ）のＸ−Ｘ断面図である。
【図１１】集塵装置の分解斜視図である。
【図１２】集塵装置の分解側面図である。
【図１３】集塵装置の背面図である。
【図１４】図１３のＡ−Ａ断面図である。
【図１５】図１４のＢ−Ｂ断面図である。
【図１６】内筒の中央断面図である。
【図１７】（ａ）は集塵装置の上蓋を開いた状態の部分拡大図である。（ｂ）は集塵装置の内筒を取り外した状態の斜視図である。
【図１８】集塵装置の上蓋と底蓋を開いた状態の背面図である。
【図１９】図１８のＣ−Ｃ断面図である。
【図２０】第一のフィルタ厚さが薄い場合の運転時における図１５のＡ−Ａ断面図である。
【図２１】図２０のVIII部の部分拡大断面図である。
【図２２】掃除機本体に集塵装置を装着し、左側面から見た部分拡大図である。
【発明を実施するための形態】
【０００８】
以下、本発明を実施するための形態（以下「実施形態」という）について、適宜図面を参照しながら詳細に説明する。
【０００９】
本実施形態の電気掃除機は、掃除機本体に対して伸縮自在に設けられる伸縮パイプの伸出方向の端部に第１ハンドルが配置され、前記掃除機本体側に前記伸縮パイプを部分的に内包する筒部を把持部とする第２ハンドルが配置されている。
【００１０】
この電気掃除機は、掃除機本体に対して伸縮パイプの長さを伸ばした状態でスティック型として使用することができ、また伸縮パイプの長さを縮めた状態でハンディ型として使用することができる。
【００１１】
図１は、スティック型として使用する電気掃除機１００の全体斜視図である。図２は、ハンディ型として使用する電気掃除機１００の左側面図である。図３は、吸口体３を取り外した図２に示す電気掃除機１００の平面図である。図４は、図３のIV−IV断面図である。なお、図３における伸縮パイプ２０は、隠れ線（点線）で表している。また、以下の説明における電気掃除機１００の前後上下左右の方向は、図１及び図２の矢印で示す前後上下左右の方向を基準とする。
【００１２】
図１及び図２に示すように、電気掃除機１００は、吸口体３と、掃除機本体１と、伸縮パイプ２０（図１参照）と、第１ハンドル３０と、後に詳しく説明する伸縮パイプ２０のロックアンロック装置５０（図６参照）とを備えている。
【００１３】
≪吸口体≫
吸口体３は、掃除機本体１の前部に開口する吸込口１５（図４参照）に嵌脱自在に取り付けられる。
【００１４】
図１に示す吸口体３は、電動機駆動の回転ブラシを内蔵するパワーブラシ式吸口体３ａであり、図２に示す吸口体３は、隙間ノズル３ｂである。なお、電気掃除機１００の吸口体３は、これらパワーブラシ式吸口体３ａや隙間ノズル３ｂに限定されるものではなく、他の吸口体を使用することもできる。また、電気掃除機１００は、吸口体３を取り付けないで使用することもできる。ちなみに、本実施形態での吸口体３は、掃除機本体１の前端に設けられた吸口体着脱ボタン１６を押し下げることによって掃除機本体１から取り外すことができるようになっている。
【００１５】
なお、図１に示す電気掃除機１００と図２に示す電気掃除機１００とは、伸び出た伸縮パイプ２０の長さが異なり、前記のように吸口体３がパワーブラシ式吸口体３ａと隙間ノズル３ｂとで異なっていること以外は同じ構造となっている。
【００１６】
≪掃除機本体≫
掃除機本体１は、ケース１０内に後記の電動送風機４０（図４参照）、本体基板４４（図４参照）、蓄電池６０（図４参照）などを備えて構成されている。また、掃除機本体１は、ケース１０に対して着脱自在に取り付けられた集塵装置２と、吸口体３から吸い込まれる塵挨を含む空気を集塵装置２に送り込む後記の空気導入管１７（図５参照）とを備えている。
【００１７】
掃除機本体１の外形は、主にケース１０と集塵装置２とがなす外形で略構成されており前後方向に長い形状となっている。また、掃除機本体１のケース１０には、第２ハンドル３３が形成されている。前記の第１ハンドル３０及び第２ハンドル３３については後に詳細に説明する。
【００１８】
＜ケース＞
ケース１０は、図１に示すように、パイプケース部１３と、モータケース部１１と、蓄電池ケース部１２と、導入管ケース部１４とを有している。
【００１９】
パイプケース部１３は、掃除機本体１の上部を前後方向に延びるように形成されている。パイプケース部１３は、後記するように、掃除機本体１の後部寄りで第２ハンドル３３を形成している。パイプケース部１３の外形は、この第２ハンドル３３部分を除いて前後方向に延びる凸状形状となっている。
【００２０】
パイプケース部１３は、図３及び図４に示すように、電気掃除機１００がハンディ型として使用される際には、後記する伸縮パイプ２０（パイプ部材２１）を内側に収納する。なお、電気掃除機１００がスティック型として使用される際には、パイプ部材２１は、図１に示すように、掃除機本体１の後端部からパイプケース部１３の外側に伸び出た状態となる。
【００２１】
本実施形態でのモータケース部１１は、図１及び図２に示すように、パイプケース部１３の下側において掃除機本体１の略後半分の範囲でパイプケース部１３と蓄電池ケース部１２との間に配置されている。モータケース部１１は、図３に示すように、パイプケース部１３よりも左右方向に幅広に形成されている。
【００２２】
本実施形態での蓄電池ケース部１２は、図１及び図２に示すように、掃除機本体１の略後半分の範囲でモータケース部１１の下側に配置されている。蓄電池ケース部１２は、図３に示すように、パイプケース部１３よりも左右方向に幅広に形成され、モータケース部１１よりも左右方向に幅狭に形成されている。
【００２３】
本実施形態での導入管ケース部１４は、後記する空気導入管１７（図５参照）を上側から覆うように配置されている。
【００２４】
なお、図１及び図２中、符号８０は、後に説明する回転ブラシである。
【００２５】
導入管ケース部１４は、図３に示すように、掃除機本体１の略前半分の範囲でパイプケース部１３の右側に張り出すように配置されている。
【００２６】
＜電動送風機、本体基板及び蓄電池＞
図４に示すように、電動送風機４０は、モータケース部１１内に収容されている。具体的には、電動送風機４０は、モータケース部１１内に配置される固定ケース１１ａ内にネジなどによって支持されている。
【００２７】
電動送風機４０は、ファン４１と、このファン４１を回転軸４２周りに駆動する電動機４３と、を備えている。
【００２８】
本実施形態での電動送風機４０は、ファン４１が前方を向くように配置されることで、回転軸４２が伸縮パイプ２０と平行になっている。
【００２９】
電動送風機４０は、集塵装置２側に臨む前部から吸気する。電動送風機４０からの排気は、固定ケース１１ａ内を後方に向けて流れる。
【００３０】
本体基板４４，４４は、掃除機本体１を制御する制御基板であり、電動送風機４０の後方で固定ケース１１ａ内にネジなどによって固定されている。
【００３１】
本実施形態での本体基板４４，４４は、上下に分割して配置され、対向する面に電子部品が実装されている。電動送風機４０から排出された空気のほとんどは、各本体基板４４，４４に対向するように配置された電子部品を冷却するように流れる。そして、固定ケース１１ａの所定の開口部（図示を省略）から流れ出た排気は、モータケース部１１の内外を貫く複数のスリットなどで形成される排気口（図示を省略）を介して機外に排出される。なお、この排気口にはフィルタを配置することもできる。
【００３２】
蓄電池６０は、蓄電池ケース部１２内に収容されている。本実施形態での蓄電池６０は、上下方向に扁平の直方体で形成されている。蓄電池６０は、電気掃除機１００の主電源であり、本体基板４４、電動送風機４０などと電気的に接続されている。
【００３３】
蓄電池６０は、リチウムイオン電池、ニッケル水素電池などの充電可能な二次電池で構成されている。本実施形態での蓄電池６０は、単電池を複数用いた組電池を想定しているが、電気掃除機１００の使用条件等によっては単電池を使用することもできる。
【００３４】
＜空気導入管＞
空気導入管１７は、図５に示すように、吸込口１５と、この吸込口１５と流入口１４９とを繋ぐ連通管１８とを備えている。この空気導入管１７は、吸引した空気を集塵装置２の外筒１２８内に送り込む。
【００３５】
本実施形態での吸込口１５は、前後方向に延びる略円筒体（筒体）で形成されている。この吸込口１５は、前記のように、掃除機本体１の前部で前方向に向けて開口し、嵌脱自在に吸口体３（図１及び図２参照）が取り付けられるようになっている。
【００３６】
また、図３に示すように、吸込口１５の中心軸Ａｘ１は、掃除機本体１の平面視で後記する伸縮パイプ２０の中心軸Ａｘ２の前方延長上に配置されている。また、図４に示すように、吸込口１５の中心軸Ａｘ１は、掃除機本体１の側面視で、伸縮パイプ２０の中心軸Ａｘ２の下方でこの中心軸Ａｘ２と平行になるように配置されている。
【００３７】
＜集塵装置着脱機構＞
次に、本発明の実施形態の集塵装置着脱機構（ロックボタン１１９）の構成について説明する。
【００３８】
パイプケース部１３の前方には、集塵装置２を固定するための集塵装置固定突起１１７を備え、モータケース部１１には、集塵装置２を固定する集塵装置固定穴１１８を備える。集塵装置２には、バネ１２０によって付勢されたロックボタン１１９を備える。集塵装置固定突起１１７を集塵装置２底面の窪み部１１６に差し込み、集塵装置固定突起１１７を起点に前方（パイプケース部１３側）に回動させて、ロックボタン１１９を集塵装置固定穴１１８に引っ掛けることにより、集塵装置２が掃除機本体1に取り付けられる。
【００３９】
集塵装置２を外す際は、ロックボタン１１９を下方にスライドさせることで集塵装置固定穴１１８から外し、集塵装置２の取り付け時とは逆方向に回動させることにより、集塵装置固定突起１１７から外すことができる。また、ロックボタン１１９の色相を掃除機本体１や集塵装置２の色相とコントラストの大きい色相（例えば、清潔感ある青色など）にすることで、集塵装置２の取り外す際の固定解除位置を容易に探索でき、再度取り付ける際にも固定位置の誤組み防止となり得る。
【００４０】
≪伸縮パイプ≫
伸縮パイプ２０は、前記のように、掃除機本体１の後端部から伸び出る長さが可変となっている（図１及び図２参照）。なお、伸縮パイプ２０は、掃除機本体１から伸び出ている長さが伸縮するものであり、掃除機本体１の前後方向における伸縮パイプ２０の絶対長さ（全体長さ）が伸縮するものではない。ただし、以下の伸縮パイプ２０の用語は、掃除機本体１から伸び出ている部分に限定して適用するものではなく、説明の便宜上、掃除機本体１に内在している部分をも含めた全体の伸縮パイプ２０に適用する。
【００４１】
伸縮パイプ２０は、図２及び図３に示すように、電気掃除機１００がハンディ型として使用される場合には、伸縮パイプ２０の略全長にわたってパイプケース部１３内に収容される。つまり、伸縮パイプ２０の前後方向の長さとパイプケース部１３の前後方向の長さとは略同じに設定されている。
【００４２】
伸縮パイプ２０は、図４に示すように、伸縮パイプ２０の長さ方向（前後方向）の略全体を占めるパイプ部材２１と、パイプ部材２１の両端内側にそれぞれ配置される第１挿入部材２２、及び第２挿入部材２３と、を備えている。
【００４３】
パイプ部材２１の後端部には、後に詳しく説明する第１ハンドル３０が取り付けられている。ユーザは、この第１ハンドル３０を把持することで伸縮パイプ２０（パイプ部材２１）を掃除機本体１から引き出すこととなる。
【００４４】
図６は、図４のVI部の部分拡大断面図である。
【００４５】
図６に示すように、パイプ部材２１の前側には、伸縮パイプ２０の掃除機本体１に対するロックアンロック装置５０が配置されている。
【００４６】
パイプ部材２１の前側上部には、ロックアンロック装置５０をパイプ部材２１の内外に臨ませる長孔２５が形成されている。この長孔２５は、本実施形態でのロックアンロック装置５０のサイズに合わせて前後方向に長く形成されている。ロックアンロック装置５０については後に詳しく説明する。
【００４７】
本実施形態でのパイプ部材２１は、アルミニウム合金などの軽金属からなる金属パイプを想定しているがこれに限定されるものではなく、合成樹脂などの他の材料からなるものを使用することもできる。また、本実施形態でのパイプ部材２１は、断面形状が円形であるものを想定しているが、楕円、多角形などの他の形状とすることもできる。
【００４８】
第１挿入部材２２は、図６に示すように、パイプ部材２１の前側に配置されている。
【００４９】
第１挿入部材２２は、パイプ部材２１に内嵌される筒部２２ａと、ロックアンロック装置５０の基部を支持する支持部２２ｂとを備えている。
【００５０】
筒部２２ａは、パイプ部材２１の内側に収まる外径を有している。筒部２２ａの前端部には、パイプ部材２１の前端に当接するフランジ２２ｃが形成されている。また、筒部２２ａの後端上部には、長孔２５の前縁部に掛る爪部２２ｄが形成されている。第１挿入部材２２は、フランジ２２ｃと爪部２２ｄによってパイプ部材２１に対して一体になるように支持されている。
【００５１】
第１挿入部材２２を構成する支持部２２ｂは、筒部２２ａの後端部から後方に延在する板状部材で構成され、筒部２２ａと一体成形されている。
【００５２】
支持部２２ｂは、後記のロックアンロック装置５０を構成するピン５４を摺動可能に保持するピン保持部２２ｅと、ロックアンロック装置５０を構成する基部５６ａがネジ止めされるネジ受け部２２ｆとを有している。
【００５３】
本実施形態での第１挿入部材２２は、合成樹脂からなるものを想定しているがこれに限定されるものではなく、金属などの他の材料からなるものを使用することもできる。
【００５４】
なお、図６中、符号２３ａは、電気系統を構成するコードである。パイプ部材２１がパイプケース部１３に収容された状態で、このパイプ部材２１の内側を前後方向に延びている。このコード２３ａは、パイプ部材２１内で少なくとも一部が延びる螺旋状に形成されている。この螺旋部は、掃除機本体１からの伸縮パイプ２０の伸び出し量に応じて前後方向に伸縮することができる。このコード２３ａは、前端がパイプケース部１３の前端に設けられた端子（不図示）と電気的に接続され、後端が後記するスイッチ基板３６（図８参照）と電気的に接続されている。
【００５５】
また、コード２３ａは、図６において螺旋状の部分のみを図示しておりその他の部分は省略している。また、他の図面においてはコード２３ａの全ての記載を省略している。
【００５６】
図７は、図４のVII部の部分拡大断面図である。
【００５７】
図７に示すように、第２挿入部材２３は、パイプ部材２１の後部内側に配置されている。
【００５８】
第２挿入部材２３は、後記のロックアンロック装置５０を構成する伝達部材２７の後端が取り付けられる後端取付部２３ａと、後端取付部２３ａから後方に延びて、パイプ部材２１の内側で前後方向に摺動することによって後端取付部２３ａを前後方向に案内する案内部材２３ｂとを備えている。
【００５９】
本実施形態での後端取付部２３ａは、後記する伝達部材２７の後端を引っ掛ける立体構造体で形成されているが、これに限定されるものではない。後端取付部２３ａは、伝達部材２７の後端を係止する構造を有していればよく、伝達部材２７の後端形状のバリエーションに応じてその構造を適宜に変更することができる。また、後端取付部２３ａは、これと別体の伝達部材２７に接合可能なものに限定されるものではなく、予め伝達部材２７に一体に成形された一体成形体とすることもできる。
【００６０】
案内部材２３ｂは、後端取付部２３ａの後端に接続される略円筒体で構成されている。この略円筒体は、パイプ部材２１の後端内側面（内周面）に対して摺接する。
【００６１】
案内部材２３ｂの後端部には、フランジ２３ｃが形成されている。このフランジ２３ｃは、案内部材２３ｂがパイプ部材２１の内側を前進した際に、パイプ部材２１の後端に当接することで、パイプ部材２１の内側における第２挿入部材２３の最大前進長さを所定長さに規定している。
【００６２】
案内部材２３ｂの下壁（下側周壁）には、後記するトリガー３９の突出片３９ｃが嵌入される孔部２３ｄが形成されている。
【００６３】
第２挿入部材２３は、後に詳しく説明するように、このトリガー３９との連係によって、パイプ部材２１の内側を前後方向に移動する。
【００６４】
本実施形態での第２挿入部材２３は、合成樹脂からなるものを想定しているがこれに限定されるものではなく、金属などの他の材料からなるものを使用することもできる。
【００６５】
≪第１ハンドル≫
第１ハンドル３０は、図１及び図２に示すように、伸縮パイプ２０（パイプ部材２１）の後端部に取り付けられている。
【００６６】
第１ハンドル３０は、図２に示すように、伸縮パイプ２０の中心軸Ａｘ２の後方延長線上に規定される軸線Ａｘ３に沿って延びるように形成されるベースグリップ部３０ａと、このベースグリップ部３０ａの軸線Ａｘ３に交差する軸線Ａｘ４に沿って延びる傾斜グリップ部３０ｂと、を備えるピストルグリップで構成されている。さらに詳しくは、ユーザが傾斜グリップ部３０ｂを把持した際に、ユーザの前腕が伸縮パイプ２０の中心軸Ａｘ２の後方延長線に沿って略延びるように、ベースグリップ部３０ａの軸線Ａｘ３と、傾斜グリップ部３０ｂの軸線Ａｘ４との成す角度θが、１００°から１３０°程度に設定されている。
【００６７】
第１ハンドル３０は、図１に示すように操作部３１と、トリガー３９とを備えている。
【００６８】
操作部３１は、ユーザが第１ハンドル３０を把持した際に、電気掃除機１００の手元操作を可能にしている。操作部３１には、複数の操作ボタン３１ａ（本実施形態では前後方向に並ぶ２つの操作ボタン３１ａ）が配置されている。これらの操作ボタン３１ａは、吸込力の切替え、電動送風機４０のオンオフの切換え、パワーブラシ式吸口体３ａのオンオフの切替えなどに割り当てることができる。
【００６９】
図８は、第１ハンドル３０の分解斜視図である。
【００７０】
図８に示すように、第１ハンドル３０は、ハンドル上半体３５と、スイッチ基板３６と、基板下カバー部材３７と、ハンドル下半体３８と、トリガー３９とが上下方向に組み合わされて形成される。具体的には、図７に示すように、パイプ部材２１を上下方向からそれぞれ挟み付けるようにハンドル上半体３５とハンドル下半体３８とが配置される。また、これらハンドル上半体３５及びハンドル下半体３８同士は、ネジＴで締結されてパイプ部材２１に固定される。
【００７１】
図８に示すように、ハンドル上半体３５は、第１ハンドル３０の略上半分の外形を形成している。ベースグリップ部３０ａ（図２参照）を形成するハンドル上半体３５部分は、掃除機本体１の後部側のパイプケース部１３の外形と近似した外形を有している。したがって、図２に示すように、伸縮パイプ２０の中心軸Ａｘ２の後方延長線上に軸線Ａｘ３が配置されるベースグリップ部３０ａは、ハンディ型の使用態様の電気掃除機１００において、パイプケース部１３からベースグリップ部３０ａへと外形が連なった印象を与える意匠性を有している。
【００７２】
図９は、図８のIX−IX断面を部分的に描いた部分断面図である。図９には、仮想線（二点鎖線）でスイッチ基板３６と基板下カバー部材３７とを描いている。
【００７３】
図９に示すように、ハンドル上半体３５の下面側には、前後方向（図９の紙面に対して垂直方向）に延びる一対のリブ３５ａが形成されている。
【００７４】
一対のリブ３５ａは、スイッチ基板３６の左右幅と略同じ距離をおいて対向している。
【００７５】
また、リブ３５ａの下端には、ハンドル上半体３５の中央側に向けて屈曲する爪部３５ｂが形成されている。爪部３５ｂは、図示を省略するが、前後方向に延びるそれぞれのリブ３５ａの下端辺に沿って複数形成されている。本実施形態での爪部３５ｂは、各リブ３５ａにそれぞれ２つ形成されている。
【００７６】
これらの爪部３５ｂは、一対のリブ３５ａ間に配置されるスイッチ基板３６の左右両縁に係止することで、操作部３１に対応するように、スイッチ基板３６をハンドル上半体３５の下面側の所定位置に支持している。
【００７７】
図９中、符号３１は、操作部であり、符号３１ａは、操作ボタンであり、符号３７ａは、基板下カバー部材３７の台座部であり、符号３７ｂは、基板下カバー部材３７の板枠部である。
【００７８】
基板下カバー部材３７は、図８に示すように、パイプ部材２１の曲面に合わせた曲面を有する台座部３７ａと、スイッチ基板３６を三方から囲むように台座部３７ａに形成される板枠部３７ｂと、を備えている。
【００７９】
本実施形態での基板下カバー部材３７は、電気絶縁性を有する合成樹脂で形成されている。この基板下カバー部材３７は、本実施形態での金属製のパイプ部材２１上で、スイッチ基板３６を下方から覆うように配置されている。また、板枠部３７ｂは、図９に示すように、ハンドル上半体３５の一対のリブ３５ａを外側から挟持するように配置される。つまり、スイッチ基板３６は、リブ３５ａを介して電気絶縁性の板枠部３７ｂで覆われている。
【００８０】
図８に示すように、ハンドル下半体３８は、第１ハンドル３０の略下半分の外形を形成している。ベースグリップ部３０ａ（図２参照）を形成するハンドル下半体３８部分には、ハンドル下半体３８の下面を上下方向に貫く３つのスリット３８ａ，３８ｂ，３８ｃが形成されている。
【００８１】
これらのスリット３８ａ，３８ｂ，３８ｃは、前後方向に延びるように形成されている。また、スリット３８ａ，３８ｂ，３８ｃは、ハンドル下半体３８の左右幅方向に３列並ぶように形成されている。
【００８２】
これらのスリット３８ａ，３８ｂ，３８ｃのうち、スリット３８ａは、他のスリット３８ｂ，３８ｃよりもやや前方にシフトしてハンドル下半体３８の左右幅方向の中央に形成されている。また、スリット３８ｂ，３８ｃは、スリット３８ａよりもやや後方にシフトし、スリット３８ａの後部を部分的に挟む位置に形成されている。
【００８３】
なお、図７に示すように、パイプ部材２１の下側周壁において前記のスリット３８ａと対応する位置には、スリット３８ａと上下に互い重なり合うようにスリット２１ａが形成されている。このパイプ部材２１のスリット２１ａについては後に説明する。
【００８４】
図７に示すように、スリット３８ａには、後記するトリガー３９の突出片３９ｃが挿通されている。また、図８に示すスリット３８ｂ，３８ｃには、後記するトリガー３９の案内リブ３９ｄ，３９ｅがそれぞれ挿通されることとなる。
【００８５】
また、図８中、符号３８ｄ，３８ｄは、ネジＴ（図７参照）が挿通されるボス部であり、ハンドル上半体３５の下面には、図７に示すようにこれらボス部３８ｄ，３８ｄに対応するようにボス部３５ｄ，３５ｄが形成されている。図８中、符号２１ｂ，２１ｂは、パイプ部材２１に形成されたボス部３５ｄ，３５ｄ（図７参照）の挿通孔である。なお、図８に図示しないが、パイプ部材２１の下側周壁には、ボス部３８ｄ，３８ｄの挿通孔が形成されている。
【００８６】
トリガー３９は、図８に示すように、スライダ３９ａと、指掛け部３９ｂとを備えている。
【００８７】
スライダ３９ａは、ハンドル下半体３８の下面を前後方向にスライドする部材であり、ハンドル下半体３８の下面に対して摺接する略板状体で形成されている。このスライダ３９ａの上面には、ハンドル下半体３８のスリット３８ａ，３８ｂ，３８ｃに対応するように、前記の突出片３９ｃと、一対の案内リブ３９ｄ，３９ｅとが立設されている。
【００８８】
突出片３９ｃは、図７に示すように、ハンドル下半体３８のスリット３８ａを上下方向に貫通している。また、突出片３９ｃは、パイプ部材２１のスリット２１ａを上下方向に貫通している。そして、スリット２１ａから上方に突出する突出片３９ｃの先端部は、パイプ部材２１の内側に配置される案内部材２３ｂに係合している。
【００８９】
案内リブ３９ｄ，３９ｅのそれぞれは、前記のようにスリット３８ｂ，３８ｃに挿通される。案内リブ３９ｄ，３９ｅは、スリット３８ｂ，３８ｃ内を前後方向に摺動する。これによりユーザが指掛け部３９ｂに手指を掛けて引いた際には、スライダ３９ａは、スリット３８ｂ，３８ｃの延びる前後方向に沿うように案内されて、がたつくことなく後方にスムーズに移動する。
【００９０】
なお、図示は省略するが、案内リブ３９ｄ，３９ｅの側面には、それぞれ前後方向に延びる溝部が形成されており、この溝部には、スリット３８ｂ，３８ｃの近傍でハンドル下半体３８の下側内周面に設けられた前後方向に延びるレール部材が嵌め込まれている。これによりトリガー３９は、ハンドル下半体３８から下方に脱離することなく前後方向に移動自在となっている。
【００９１】
このような第１ハンドル３０を構成するトリガー３９は、後記するようにロックアンロック装置５０の一部をも構成している。
【００９２】
≪第２ハンドル≫
図３及び図４に示すように、第２ハンドル３３は、掃除機本体１の後側上部に形成されている。
【００９３】
第２ハンドル３３は、掃除機本体１の前後方向に延在するパイプケース部１３のうち、掃除機本体１の後部で伸縮パイプ２０（パイプ部材２１）を部分的に内包する筒部２２ａを把持部としている。
【００９４】
言い換えれば第２ハンドル３３は、図２に示すように、モータケース部１１とパイプケース部１３とを部分的に上下に分かつように掃除機本体１を左右方向（図２の紙面に対して垂直方向）に貫くユーザの手指の挿入口３３ａが形成されて構成されている。
【００９５】
本実施形態で挿入口３３ａは、側面視で前後方向に長い長孔となっている。さらに具体的には、この長孔は、前後両端部に同径の円弧を備え、円弧に連なる上下二辺が互いに平行となったトラック形状（オーバル形状）となっている。つまり、この長孔は、上下二辺に対する円弧が正接円弧となっている。これにより挿入口３３ａに対するユーザの手指の収まりが良好となる。
【００９６】
また、側面視での長孔の前後方向に延びる中心軸線Ａｘ５は、掃除機本体１の吸込口１５の中心軸線Ａｘ１の後方延長線上に位置している。つまり、長孔の上下二辺のそれぞれは、吸込口１５の中心軸線Ａｘ１に対して平行となるように形成されている。
【００９７】
このような第２ハンドル３３は、図示は省略するが、筒部２２ａに対向するモータケース部１１の上面Ｓ１（図１参照）を、上側に凹となるように形成することもできる。これにより掃除機本体１の上下高さを増加させることなく、挿入口３３ａを大きく確保することができる。
【００９８】
また、本実施形態での第２ハンドル３３は、図４に示すように、電動送風機４０の固定ケース１１ａ上に形成されている。具体的には、第２ハンドル３３の把持部としての筒部２２ａの下方に蓄電池６０の少なくとも一部、電動送風機４０の少なくとも一部、及び本体基板４４の少なくとも一部が位置するように、挿入口３３ａの前後方向の位置が設定されている。これにより、図２に示すように、ユーザが把持する筒部２２ａの下方付近に電気掃除機１００の重心Ｇａが位置する。特に吸口体３を下方に傾けた際には、筒部２２ａの真下に重心Ｇａが位置する。よって、ユーザの手指に掛る荷重の負担が軽減される。
【００９９】
≪ロックアンロック装置≫
ロックアンロック装置５０（図６参照）は、パイプケース部１３（図６参照）内を前後に移動する伸縮パイプ２０（図６参照）を所定の位置にロックし又はアンロックするものである。これにより掃除機本体１（図２参照）から後方に伸び出す伸縮パイプ２０（図２参照）の長さが調節される。
【０１００】
このロックアンロック装置５０は、伸縮パイプ２０とともにパイプケース部１３内を前後に移動し、前後方向の所定の位置に係止される被係止部５１（図６参照）と、この被係止部５１を所定の位置に係止する係止部５２（図６参照）と、被係止部５１を係止部５２に係止させ、又はこの係止を解かせる作動部５３（図６及び図７参照）と、を備えている。
【０１０１】
＜被係止部＞
図６に示すように、被係止部５１は、前記の第１挿入部材２２（支持部２２ｂ）に取り付けられることで、前記のように伸縮パイプ２０とともにパイプケース部１３内を前後に移動する。この被係止部５１は、パイプ部材２１の長孔２５を介してパイプ部材２１の内外に臨んでいる。
【０１０２】
本実施形態に係る電気掃除機１００における被係止部５１は、パイプ部材２１の先端側のみに形成されている。
【０１０３】
被係止部５１は、上下移動するピン５４と、ピン５４を下方に付勢するばね５５と、後記する作動部５３の引張動作を受けてばね５５の付勢力に抗してピン５４を引き上げるピン引上げ機構５６と、を備えて構成されている。
【０１０４】
ピン５４は、略円柱形状を呈しており、ピン５４の中心軸が上下方向に向くようにピン引上げ機構５６に支持されている。
【０１０５】
ピン引上げ機構５６は、伸縮パイプ２０の第１挿入部材２２（支持部２２ｂ）にネジＴで取り付けられる基部５６ａと、ピン５４を支持する上下移動自在な可動部５６ｂと、後記する作動部５３による引張力を受けて後方に移動することで可動部５６ｂを上方に移動させるスライダ部５６ｃと、を備えて構成されている。
【０１０６】
なお、ばね５５の上下端のそれぞれは、基部５６ａと可動部５６ｂとに支持され、ばね５５は、可動部５６ｂを基部５６ａから離反させるように付勢している。これによってピン５４は、下方に向けて付勢される。
【０１０７】
図１０（ａ）は、ロックアンロック装置５０の分解斜視図である。図１０（ａ）は、作図の便宜上、掃除機本体１から分離した伸縮パイプ２０にロックアンロック装置５０が取り付けられる様子を示している。図１０（ｂ）は、図１０（ａ）のＸ−Ｘ断面図である。
【０１０８】
図１０（ａ）に示すように、基部５６ａは、可動部５６ｂの左右両側部と後部とを覆う壁板を有する枠体で構成されている。
【０１０９】
図１０（ａ）に示すように、可動部５６ｂは、前後方向に長い枠体で形成され、前後のにはそれぞれテーパ面Ｓ２，Ｓ２が形成されている。このテーパ面Ｓ２，Ｓ２は、前方から後方に向けて下り勾配となるように傾斜している。
【０１１０】
この可動部５６ｂの内側には、前記のピン５４及びばね５５が配置されるとともに、可動部５６ｂは、基部５６ａを構成する枠体の内側に基部５６ａの下方から組み付けられる。
【０１１１】
図１０（ａ）に示すように、スライダ部５６ｃは、基部５６ａの上側に配置される略板体からなるベース部５６ｄと、このベース部５６ｄから下方に突出する前後一対の可動部当接突起５６ｅ，５６ｅと、を備えている。可動部当接突起５６ｅ，５６ｅには、図６に示すように、可動部５６ｂのテーパ面Ｓ２，Ｓ２にそれぞれ当接する湾曲部５６ｆ，５６ｆが形成されている。
【０１１２】
スライダ部５６ｃ（図１０（ａ）参照）は、基部５６ａ（図１０（ａ）参照）に対して前後移動可能に基部５６ａの上側に組み付けられる。
【０１１３】
図１０（ａ）に示すように、スライダ部５６ｃの後部には、後記する伝達部材２７の前端が取り付けられる前端取付部５６ｇが形成されている。本実施形態での前端取付部５６ｇは、伝達部材２７の前端が差し込まれる孔で構成されている。この前端取付部５６ｇは、伝達部材２７の前端を係止する構造を有していればよく、伝達部材２７の前端形状のバリエーションに応じてその構造を適宜に変更することができる。また、前端取付部５６ｇは、これと別体の伝達部材２７に接合可能なものに限定されるものではなく、予め伝達部材２７に一体に成形された一体成形体とすることもできる。
【０１１４】
このようなピン引上げ機構５６は、図１０（ａ）に示すように、その下側部分がパイプ部材２１の長孔２５を介してパイプ部材２１内に収められる。
【０１１５】
なお、図１０（ａ）中、符号５６はピン引上げ機構を示している。
【０１１６】
そして、図６に示すように、基部５６ａが第１挿入部材２２の支持部２２ｂを構成するネジ受け部２２ｆにネジＴで締結されるとともに、ピン５４がピン保持部２２ｅに挿通される。
【０１１７】
また、ピン引上げ機構５６は、図６に示すように、パイプ部材２１とともにパイプケース部１３内に収められる。
【０１１８】
なお、図６中、符号５６ｈは、スライダ部５６ｃの上面で前後方向に延びるリブである。このリブ５６ｈは、パイプケース部１３の上側内周面の前後方向に延びるように形成された溝部（図示を省略）に嵌り込むようになっている。これによりピン引上げ機構５６がパイプ部材２１とともにパイプケース部１３内を前後方向に移動する際にがたつきがより確実に防止される。
【０１１９】
また、図６中、符号２１ｃは、ピン５４の下方でパイプ部材２１に形成されたピン挿通孔である。符号３４ａは、次に説明する係止部５２を構成するロックプレート３４に形成されたピン嵌入孔である。
【０１２０】
＜係止部＞
係止部５２は、図６に示すように、パイプ部材２１の下方に配置されるロックプレート３４を備えて構成されている。このロックプレート３４は、掃除機本体１を構成するケース１０に固定されている。
【０１２１】
ロックプレート３４は、前後方向に細長い板体で形成されている。ロックプレート３４には、前後方向にそって所定の間隔で複数の前記ピン嵌入孔３４ａ（穴）が形成されている。本実施形態では４つのピン嵌入孔３４ａが形成されている。
【０１２２】
このピン嵌入孔３４ａに被係止部５１を構成するピン５４が嵌り込むことによって、ロックアンロック装置５０は、伸縮パイプ２０のロック状態を維持することとなる。
【０１２３】
図１０（ｂ）に示すように、ロックプレート３４の上面に形成されるピン嵌入孔３４ａの内径Ｄ１は、ピン５４の外径Ｄ３よりも大きく、ロックプレート３４の下面に形成されるピン嵌入孔３４ａの内径Ｄ２は、ピン５４の外径Ｄ３と同径になっている。
【０１２４】
つまり、このピン嵌入孔３４ａは、ピン５４の受け入れ側開口部であるロックプレート３４の上面側に、呼込み径を広げるＲ形状が施されている。
【０１２５】
また、ピン５４の受け入れ側開口部には、このＲ形状に代えて面取り形状を施すこともできる。
【０１２６】
＜作動部＞
作動部５３は、図７に示すように、トリガー３９と、第２挿入部材２３と、伝達部材２７と、を備えている。なお、トリガー３９は、前記の第１ハンドル３０をも構成し、第２挿入部材２３は、前記の伸縮パイプ２０をも構成している。
【０１２７】
この作動部５３は、被係止部５１（ピン引上げ機構５６）のスライダ部５６ｃに引張力を加えるものである。トリガー３９と第２挿入部材２３については、前記のとおりであり、詳細な説明は省略する。
【０１２８】
本実施形態での伝達部材２７は、図４に示すように、前後方向に長いロッド部材で構成されている。この伝達部材２７としては、引張力をスライダ部５６ｃに伝達できるものであれば、多少の撓み性を有するワイヤなどを使用することもできる。
【０１２９】
＜ロックアンロック装置の動作＞
次に、図２に示すハンディ型から図１に示すスティック型に電気掃除機１００の使用態様を変更する際のロックアンロック装置５０の動作について説明する。
【０１３０】
図２に示すハンディ型の使用態様では、掃除機本体１から後方に伸び出す伸縮パイプ２０の長さは縮められて、伸縮パイプ２０は略全長にわたってパイプケース部１３内に収容されている。
【０１３１】
この際、主に図６を参照して説明すると、ロックアンロック装置５０は、図示は省略するが、ロック状態にあってはピン５４の先端がパイプ部材２１のピン挿通孔２１ｃを介してロックプレート３４のピン嵌入孔３４ａに嵌り込んでいる。また、ピン５４は、ばね５５によって下方に付勢されており、ピン嵌入孔３４ａに嵌り込んだピン５４のロック状態は維持される。
【０１３２】
これによりパイプケース部１３内における伸縮パイプ２０の前後方向の移動が禁止されることで掃除機本体１に対する伸縮パイプ２０の伸び出し長さは一定長さに固定される。
【０１３３】
次に、図７を主に参照して、ユーザの手指が、トリガー３９を後方に引くと、トリガー３９の突出片３９ｃの先端部は、係合する第２挿入部材２３の案内部材２３ｂを後方に移動させる。ちなみに、ユーザはばね５５（図６参照）の付勢力に抗する力でトリガー３９を後方に引くことになる。
【０１３４】
これにより、案内部材２３ｂの後端と接続される第２挿入部材２３の後端取付部２３ａは、伝達部材２７を後方に引く。伝達部材２７の先端と接続される被係止部５１（スライダ部５６ｃ）の先端取付部５６ｇ（図１０（ａ）参照）は、この引張力を受けて後方に移動する。
【０１３５】
後方に移動するスライダ部５６ｃの湾曲部５６ｆ（図６参照）は、可動部５６ｂ（図６参照）のテーパ面Ｓ２（図６参照）を後方に押しやる。これにより湾曲部５６ｆは、テーパ面Ｓ２の下方に位置するようにテーパ面Ｓ２上を摺動する。ピン５４を支持する可動部５６ｂは、上方に移動する。ピン５４は、図６に示すように、ロックプレート３４のピン嵌入孔３４ａから脱することで前記のロック状態は解かれる。伸縮パイプ２０は、パイプケース部１３内で前後方向に移動可能となる。
【０１３６】
次に、図７を主に参照して、ユーザは、トリガー３９を引いた状態で第１ハンドル３０を把持してパイプケース部１３内で前後方向に移動可能となった伸縮パイプ２０を掃除機本体１から引き出す。そして、ユーザは、引き出された伸縮パイプ２０の長さが、スティック型としての使用に好適な伸縮パイプ２０に近づいたときに、トリガー３９を開放するとともに、さらに伸縮パイプ２０を引き出していく。
【０１３７】
このとき図６に示すピン５４は、ばね５５によって下方に付勢されつつ、パイプケース部１３内を後方に移動する。そして、ピン５４がロックプレート３４のピン嵌入孔３４ａに到達すると、ばね５５の付勢力によってピン５４は、ピン嵌入孔３４ａに嵌り込む。これにより伸縮パイプ２０は、図１に示すスティック型での使用態様の長さに固定される。
【０１３８】
＜回転ブラシ８０＞
図１及び図２に示すように掃除機本体１の先端部（下側）には、先端部に対して回動可能な回転ブラシ８０を備える。回転ブラシ８０は３方向に刷毛部を有している。回転ブラシ８０を用いるために回動させて両刷毛部を清掃面側にすることで清掃面との隙間を減らして吸込み性能を上げ、また清掃面を傷つけることなく掃除することができる。
【０１３９】
≪集塵装置≫
集塵装置２は、吸口体３または吸込口１５から前記空気導入管１７を介して、吸込んだ塵埃を含む空気を、塵埃と空気とに分離し、塵埃を集める機能をもつ。
この集塵装置２は、図１に示すように、パイプケース部１３の下方であって、モータケース部１１の前方に配置されている。また、集塵装置２は、図４に示すように、掃除機本体１の吸込口１５の後方に位置している。
【０１４０】
図５は、図４の集塵装置２周りの部分拡大断面図である。図５は、空気導入管１７を表すために作図の便宜上、図４のケース１０、伸縮パイプ２０などを省略し、吸込口１５、空気導入管１７及び集塵装置２のみを表している。また、図１１から図１９においては、本実施形態での集塵装置２の各構成を示す。
【０１４１】
本実施形態での集塵装置２は、サイクロン方式のものであり、略円柱状の外形を有している。
この集塵装置２は概ね、外筒１２８、内筒１２９、第一のフィルタ１７１、第二のフィルタ１３０で形成されている。外筒１２８は上下が開口した筒体である。外筒１２８の上部には所定のロック装置によって前記開口部に対する開閉動作を行うことができる上蓋１３２、下部に底蓋１３３を備えている。そして、この外筒１２８には、図５に示すように、吸込口１５を介して吸引した空気を取り込むための流入口１４９と、この外筒１２８と一体化したフィルタ受け部１３１と、この外筒１２８内の同心状に配置される内筒１２９を備えている。
内筒１２９の中部は、上部円筒１２９ａとメッシュ部材１３６、下部は下部円筒１２９ｂと筒体１４０と、を備えている。
【０１４２】
フィルタ受け部１３１内には、吸引した空気流の流れから見た上流側に粗い塵埃を捕集する第一のフィルタ１７１が配置されている。この下流側には細かい塵埃を捕集する第二のフィルタ１３０が配置されている。外筒１２８と内筒１２９との間には、塵埃の分離・収容のための空間が形成される。外筒１２８と内筒１２９とで形成される空間のうち、上部は塵埃分離部１３４、下部は塵埃収容部１３５となる。塵埃分離部１３４は、塵埃を運んだ空気から塵埃を分離する空間であり、塵埃収容部１３５は、塵埃を集めて収容する空間である。
【０１４３】
＜第一のフィルタ＞
第一のフィルタ１７１の部材は、例えばモルトフィルタＭＦ５０である。ウレタンフォームが有する三次元構造と高い空孔率、さらに完全なオープンセル構造のため、低い圧力損失で高い粉塵捕集率を得ることができ、優れた濾過性、耐油性を有する(密度：３０±５ kg/m3、セル数：５０±５ 個/２５ｍｍ)。
【０１４４】
第二のフィルタ１３０の上流側に位置することで体積が大きい粗い塵埃を捕集することが可能となり、第二のフィルタ１３０への負担を低減することができる。このとき、第一のフィルタ１７１の厚みは第二のフィルタ１３０の後述するフィルタ部材１４７の下端部から、後述する区画壁１２８ａまでの距離と同じであっても良いし、それより薄くても良い。同じである場合は、第二のフィルタ１３０への負担を最小限とし、吸引力の持続性を高めることができる一方で、薄い場合は、図２０に示すように運転中に第一のフィルタ１７１は電動送風機４０による負圧によって、第二のフィルタ１３０側へ引き寄せられ、区画壁１２８ａと第一のフィルタ１７１との間に空間を形成する。これにより、第一のフィルタ１７１を通過しない迂回流路２０２が形成されることで、通気損失を抑制することができる。更には、フィルタ受け部１３１への開口１２８ｂは区画壁１２８ａの略中心部に設けられているため、第二のフィルタ１３０は中心部に集中して塵埃が堆積し易い。そのため、第一のフィルタ１７１を通過しない流路が形成されることにより、第二のフィルタ１３０の外周付近にも塵埃が堆積するようになるため、フィルタ部材１４７の面積を最大限に活用することが可能となる。第一のフィルタ１７１は使用者が水洗いできることが望ましい。これによって、第二のフィルタ１３０が塵埃によって直接汚れにくくなり、お手入れ性を向上することができる。また、本実施例では第一のフィルタ１７１と第二のフィルタ１３０を個々で配置する構成としているが、第二のフィルタ１３０の枠体をフィルタ面よりも延長し、延長した枠体内側にはめ込む構造とすることで水洗いする際に個々に取り外す手間を省くこともできる。
【０１４５】
＜第二のフィルタ＞
第二のフィルタ１３０は、図１１及び図１２に示すように、枠体１３０ａと、枠体内にプリーツ状（山折状）に折られたフィルタ部材１４７とで形成される。この、フィルタ部材１４７は、気流の流れに対してほぼ直角、かつ水平方向となるよう配置されるのが望ましい。これは、フィルタ部材１４７に付着した細塵に重力作用方向の力が働くことで、塵埃を落としやすくするためである。また、フィルタ部材１４７をプリーツ状に折ることで、フィルタ面積が大きくなるため、フィルタ部材１４７による通気損失を低減することができる。
第二のフィルタ１３０が有するフィルタ部材１４７のプリーツの形成面側から見た外観形状（断面形状）は、山谷の連続から連なる櫛歯形状となっている。フィルタ部材１４７は上部に位置する枠体１３０ａと一体に融着されると共に、枠体１３０ａの下部に位置する櫛歯刑状の三角リブ１３０ｆとも一体に融着される。したがって、第二のフィルタ１３０の外観形状は、上部に全周を閉塞する枠体１３０ａと、下部に櫛歯形状の両端に形成された開口部２１０を有する三角リブ１３０ｆと、後述する枠体１３０ａと三角リブ１３０ｆの中間に形成された気密パッキング部材によって構成されている。
【０１４６】
フィルタ部材１４７は、例えばＨＥＰＡフィルタ（High Efficiency Particulate Air Filter）などの高密度フィルタがある。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。また、第二のフィルタ１３０は使用者が水洗いするための撥水効果、付着した匂いの消臭や菌の繁殖を抑制できる抗菌効果があることが望ましい。
第二のフィルタ１３０は、その外周に径方向に突出した鍔部１３０ｂを有している。鍔部１３０ｂの上下面には、後述するフィルタ受け部１３１と上蓋１３２との間に位置し、気密を保持するためのパッキング１３０ｃ、パッキング１３０ｄがゴム部材等で形成されている。
ここで、フィルタ受け部１３１に第二のフィルタ１３０を装着すると、パッキング１３０ｃとフィルタ受け部１３１上部のフィルタ当接部１３１ａとが接する。また、上蓋１３２の下部には気密面１３２ａを設けており、上蓋１３２を第二のフィルタ１３０上方から被せると、パッキング１３０ｄと気密面１３２ａが接し、上蓋１３２を後述するロック機構にて固定する動作により、上蓋１３２とフィルタ受け部１３１との間に第二のフィルタ１３０が圧接される。こうして、フィルタ受け部１３１、上蓋１３２と第二のフィルタ１３０とが外部空間に対して気密に封止される。
【０１４７】
図１１に示すように、第二のフィルタ１３０の枠体１３０ａと鍔部１３０ｂは、外筒１２８のフィルタ受け部１３１と同様に円形状の両端を平面にした小判形状となっており、第二のフィルタ１３０をユーザがお手入れし、再装着する際にも容易に位置決め可能な構成としている。また、鍔部１３０ｂの平面部から位置決めリブ１３０ｅが対向する位置に対で２ヶ所形成されている。この、位置決めリブ１３０ｅが後述するフィルタ受け部１３１の背面に設けられたクランプ１２２の内側に嵌合することで、上蓋１３２が開いた状態で集塵装置２を上下逆にしても第二のフィルタ１３０が脱落することを防止し、且つ、第二のフィルタ１３０の回転方向へのガタつきを抑制することができる。
【０１４８】
図２０に第二のフィルタ１３０と内筒１２９からの迂回流路の流れを示す。前述した第一のフィルタ１７１を通過しない迂回流路２０２は、集塵装置２の中心部から外周方向の外筒１２８のフィルタ受け部１３１の内側面に向かって流れる。外筒１２８のフィルタ受け部１３１の内側面に干渉した空気流は、流れの方向を更に内側に折り返す迂回流路２０３を発生させる。この迂回流路２０３は、第二のフィルタ１３０の枠体１３０ｆが有する開口部２１０からフィルタ部材１４７のプリーツの長手方向に沿うように集塵装置２の中心部に流れる。この、迂回流路２０３を流れる空気流によって、フィルタ部材１４７の上流側表面に付着した塵埃を拡散し、塵埃が集中して堆積することによる通気損失の拡大を防止することができる。また、集塵装置２の軸中心部に内筒１２９を備え、その周囲を旋回する空気の流れによって遠心分離するサイクロン式の集塵機構において、第二のフィルタ１３０の中心部のみでなく外周付近にも塵埃を含んだ空気流を迂回させて、フィルタ部材１４７の面積を最大限に活用することができる本実施例の流路構成は、掃除機本体の吸引力を持続することに優位である。
【０１４９】
図２１は、掃除機本体１に集塵装置２を装着し、左側面から見た状態を示す。
【０１５０】
前述した櫛歯形状の開口部２１０を有する三角リブ１３０ｆは、集塵装置２を掃除機本体１に装着した状態においては、使用者が左右側面側から容易に見える方向に取り付けられている。また、集塵装置２の外筒１２８は透過性のある樹脂（例えば透明ＡＢＳ、ＰＣ、ＰＭＭＡなど）を使用することで、第二のフィルタ１３０に塵埃が堆積して、吸引力が低下する前に第二のフィルタ１３０の水洗いなどのお手入れするタイミングを容易に判断することができる。
【０１５１】
＜外筒＞
図１１から図１５及び図１７（ａ）に示すように、外筒１２８は、上下が開口した略筒体で、上部側の上開口１３１ａに第一のフィルタ１７１と第二のフィルタ１３０を収納するためのフィルタ受け部１３１が一体に形成されている。フィルタ受け部１３１の上部は、外側に突出したフランジ状のフィルタ当接部１３１ｂを備えており、先述した第二のフィルタ１３０を装着した際、第二のフィルタ１３０の外周に備えたパッキング１３０ｃと当接し、フィルタ受け部１３１と第二のフィルタ１３０は気密を保持した状態となる。
フィルタ受け部１３１の下部は、塵埃分離部１３４と区画するため、区画壁１２８ａが形成されている。区画壁１２８ａの略中心部は開口１２８ｂが設けられており、後述する内筒１２９と流体的に連通している。区画壁１２８ａの上面には、前述の第一のフィルタ１７１を内包する収納壁１２８ｃが開口１２８ｂと同心円上に設けられている。収納壁１２８ｃの高さは、上部から第二のフィルタ１３０が装着された際に第二のフィルタ１３０のフィルタ部材１４７が当接する位置とすることで第二のフィルタ１３０が押され過ぎて変形することを防止することもできる。また、第一のフィルタ１７１を内包する収納壁１２８ｃは、少なくとも一部が切り欠かれていることにより、同心円上の開口１２８ｂから流れ込む風の流れを第一のフィルタ１７１の上面と側面側から第二のフィルタ１３０に通過させることができ、通気損失の抑制を図ることができる。更に、前述したように第一のフィルタ１７１の厚みが第二のフィルタ１３０のフィルタ部材１４７の下端部から、区画壁１２８ａまでの距離よりも小さい場合は、第一のフィルタ１７１が電動送風機４０による負圧によって、第二のフィルタ１３０側へ引き寄せられる際のガイドとなり、第一のフィルタ１７１の動作を円滑にし、撚れることを防止することができる。
外筒１２８の区画壁１２８ａの下面には、後述する内筒１２９の外径よりも一回り大きい細塵防壁リブ１２７が開口１２８ｂの同心円上に設けられている。この、細塵防壁リブ１２７の内側側面には、対向する２箇所の位置にレール受けリブ１２７ａと、このレール受けリブ１２７ａの略中央に固定突起部１２７ｂを備えている。
外筒１２８のフィルタ受け部１３１の背面には、上蓋ロック機構１２１を備えている。上蓋ロック機構１２１は、上蓋１３２の爪部１３２ｂとフィルタ受け部１３１に備えるクランプ１２２で構成されている。フィルタ受け部１３１に備えるクランプ１２２は、側面の略中央に軸１２２ｂを設けており、外観から見えない裏側に爪部１２２ａとバネ座１２２ｃを設けている。バネ座１２２ｃはクランプ１２２最下部の略中央に設け、爪部１２２ａはクランプ１２２の最上部に備えている。フィルタ受け部１３１には、先述したクランプ１２２が収まるクランプ受け部１３１ｃとバネ受け部１３１ｄを備えており、クランプ受け部１３１ｃの側面にはクランプ１２２の軸１２２ｂが挿入される軸穴（図示せず）を備えている。
【０１５２】
＜上蓋＞
上蓋１３２は、上下が開口した略筒体である。上蓋１３２の下方は先述した外筒１２８のフィルタ受け部１３１を覆うように、フィルタ受け部１３１の外径よりも一回り大きく形成されており、略中央部から集塵装置２の中心軸に対して略垂直方向外側に略水平に気密面１３２ａを備えている。先述したように、第二のフィルタ１３０を外筒１２８のフィルタ受け部１３１内に収めて、上蓋１３２を上方から被せることで第二のフィルタ１３０のパッキング１３０ｄと上蓋１３２の気密面１３２ａが接して、外部空間に対して気密に封止される。
また、上蓋１３２天面にも気密保持のためのパッキング１３２ｃを備えている。このパッキング１３２ｃは上蓋１３２の天面よりも上方に出るように設けている。集塵装置２を掃除機本体１に装着した際に、このパッキング１３２ｃにより掃除機本体１と集塵装置２との気密を保持する。
上蓋１３２の正面下部には、外筒１２８のフィルタ受け部１３１と軸支される上部ヒンジ機構１３２ｄが構成される。また、上蓋１３２の正面上部には、先述した集塵装置着脱機構のロックボタン１１９と、ロックボタン１１９を上スライド方向に付勢するバネ（図示せず）が設けられている。
上蓋１３２の背面下部には、爪部１３２ｂが一体で形成されており、先述した上部ヒンジ機構１３２ｄにより、上蓋１３２の回転動作により、開いた状態から閉じる際に上蓋１３２の爪部１３２ｂが、外筒１２８に設けられたクランプ１２２の爪部１２２ａと当接する。このとき、上蓋１３２に備えた爪部１３２ｂの底面は傾斜しているため、クランプ１２２の爪部１２２ａを乗り越えてクランプ１２２内側に収まり、上蓋１３２とフィルタ受け部１３１が一体となる。また、第二のフィルタ１３０を装着しない状態においては、クランプ１２２は軸１２２ｂを支点に上蓋１３２の気密面１３２ａと干渉する位置まで回動する。第二のフィルタ１３０を装着すると、位置決めリブ１３０ｅがクランプ１２２の内側に収まり、クランプ１２２は軸１２２ｂを支点に上蓋１３２の気密面１３２ａと干渉しない位置まで押し戻されるため、上蓋１３２が閉じることが可能となる。このような構造とすることで、第二のフィルタ１３０を手入れした後の取り付け忘れを防止することができる。
【０１５３】
＜内筒＞
内筒１２９について、図１６及び図１７（ｂ）を用いて説明する。
【０１５４】
内筒１２９は、上部は吸気部１２９ｃを備えた上部円筒１２９ａとメッシュ部材１３６、下部は上部円筒１２９ａよりも直径が大きい下部円筒１２９ｂと筒体１４０と、を備え構成されている。上部円筒の１２９ａ側面には吸気部１２９ｃを備え、格子状の枠体（支骨）によって形成されている。本実施形態例では上下方向の枠体（支骨）としているが、格子状でも構わない。吸気部１２９ｃは、外周面にメッシュ部材１３６が掛け渡されており、メッシュ部材１３６は被覆またはインサート成型などによって枠体（支骨）に保持されている。吸気部１２９ｃにメッシュ部材１３６を設けることで、上部円筒１２９ａはフィルタ機能を有し、内筒１２９内部への微細な塵埃の流入を抑制する。本実施形態例では、メッシュ部材１３６は、ポリエステルを使用しているが、金属（例えば、ステンレス）でも良く、枠体（支骨）ではなく小径の貫通孔（金型で成型可能なφ２ｍｍ程度の孔）を複数設けた吸気部１２９ｃでも構わない。貫通孔は、枠体（支骨）にメッシュ部材１３６を掛け渡した場合と違い、強度やメッシュ部材１３６の破れに対し有効であり、二次成形が不要といった利点がある。しかし、貫通孔の径は、メッシュ部材１３６の目開きよりも大きくなるため、内筒１２９の内部への微細な塵埃の流入を防ぐために成形機を考慮しつつ可能な限り微小孔とするのが好ましい。
【０１５５】
上部円筒１２９ａは、上方向に開口１２９ｄを備えており、先述した外筒１２８の区画壁１２８ａが形成する開口１２８ｂと流体的に連通している。
上部円筒１２９ａの最上部には、固定凹レール部１２９ｅを備えている。また上部円筒１２９ａにおいては、吸気部１２９ｃよりも外径に出張る形状はない。これにより、吸気部１２９ｃに巻き付いた髪の毛を上部円筒１２９ａの上方へ滑らせるように移動することができて、簡単に内筒１２９から髪の毛を取り除くことができ、手入れが容易に行える。
ここで、図６に示すように、本実施形態において、集塵装置２の上部に位置する塵埃分離部１３４は、流入口から流れ込まれた塵埃を運んだ空気から塵埃を分離する空間であり、比較的に質量の重い塵埃は、集塵装置２の下部に位置する塵埃収容部１３５に搬送されて堆積していく。しかしながら、質量の軽い細塵や髪の毛などは、塵埃分離室１３４を旋回し続ける傾向があり、内筒１２９に強く巻き付く恐れがある。本実施形態のように、上部円筒１２９ａの上方へ髪の毛を滑らせるように移動することができる構造にすることで、簡単に内筒１２９から髪の毛を取り除くことができ、手入れが容易に行える。
【０１５６】
先述したように、上部円筒１２９ａの開口１２９ｄには、上方に隣接する外筒１２８の区画壁１２８ａが形成する開口１２８ｂと連通するため、固定凹レール部１２９ｅが一体で形成されており、上部円筒１２９ａの上側面部に対向する位置でレール突起部１２９ｆを二箇所備えている。このレール突起部１２９ｆは、外筒１２８の細塵防壁リブ１２７に設けられたレール受けリブ１２７ｂの固定突起部１２７ａと対向する位置にある。ここで、内筒１２９の上面を外筒１２８の区画壁１２８ａの下面に当接した状態から、垂直軸を中心に時計回りに回転させることで、固定凹レール部１２９ｅのレール突起部１２９ｆが、レール受けリブ１２７ｂの固定突起部１２７ａを乗り越えて固定される。
従って、本実施形態では、集塵装置２から内筒１２９のみを取り外すことが可能となっており、内筒１２９のみを掃除（手入れ）する際に有用である。内筒１２９を取り外す際は、内筒１２９の垂直軸を中心に反時計回りに回転させることで、固定凹レール部１２９ｅのレール突起部１２９ｆがレール受けリブ１２７ｂの固定突起部１２７ａから外れる。前述したように、固定凹レール部１２９ｅの外周には細塵防壁リブ１２７が形成されているため、固定凹レール部１２９ｅに砂塵などが侵入して噛み込んでしまうことを防止している。また、詳細は後述するが、上部円筒１２９ａの下面部には下部円筒１２９ｂを有し、下部円筒１２９ｂは傘部１３９を内包し、傘部１３９は垂直方向に摺動する機構を備えている。
【０１５７】
内筒１２９の下部円筒１２９ｂは、上部円筒１２９ａと同心円状に設けており、略円筒状で上面が閉塞している。言い換えると、底面が開口し空間１３８を有した形状である。そして、下部円筒１２９ｂの空間１３８に、内包するように下部円筒１２９ｂの形状をオフセットした傘部１３９を設け、傘部１３９には、上面から下方に凸になるような筒体１４０を設けている。筒体１４０は、傘部１３９と同心円状に設けており、底面１４０ａが閉塞し略半球状となっており、底面１４０ａに向かって先細りになるような略円錐形状である。筒体１４０を先細りになるような略円錐形状にすることで、後述する外筒１２８下部の先太りの略円錐部と合わせて拡大する容器形状となるため、ごみ捨ての際にごみが落下しやすくなる。この筒体１４０は、集塵容積を拡大するために略円錐部の径を小さくしても構わない。
【０１５８】
先述したように、傘部１３９を下部円筒１２９ｂに内包し、上下方向に摺動する摺動機構を設けることにより、ごみ捨て時に塵埃を排出し易くなる。傘部１３９は、吸引時などのごみ捨て時以外は下部円筒１２９ｂ内に収まっており、ごみ捨て時に下方へ摺動することで、集塵装置２内の塵埃を押し出す。摺動機構は、次の通りである。
図１６に示すように、傘部１３９の摺動機構は、上部円筒１２９ａの下面の凸部１４１にバネ座を形成し、傘部１３９中央の筒体（凹部１３９ａ）内の底面１３９ｂが圧縮ばね１４２の受けとなり、圧縮ばね１４２の下方への弾性力を、傘部１３９に伝達する。従って、圧縮ばね１４２は、傘部１３９中央の筒体（凹部１３９ａ）に覆われた状態となる。上部円筒１２９ａの下面に有する凸部１４１は、傘部１３９の筒体（凹部１３９ａ）の形状をオフセットした略相似形状で、凸部１４１の下部に爪部を有し、凹部１３９ａの上部にも爪部を有している。圧縮ばね１４２を凹部１３９ａに挿入し、更に上部円筒１２９ａの下面に有する凸部１４１を挿入する。その際、圧縮ばね１４２の上部を凸部１４１の下面に設けたバネ座で覆い、凸部１４１の下部の爪部が、凹部１３９ａ上部の爪部を乗り越えていることで、上部円筒１２９ａと傘部１３９は一体化される。このような構造で、内筒１２９は構成されている。従って、傘部１３９の摺動距離は、傘部１３９の凹部１３９ａの深さに依存し、上部円筒１２９ａの凸部１４１の高さが摺動距離となる。本実施形態においては、摺動距離を凸部１４１の高さとしているが、集塵装置２の高さや、内筒１２９、傘部１３９の高さが変わると変化するため、適宜変更されるものである。
【０１５９】
傘部１３９は段差部１３９ｃを設けており、段差部１３９ｃと下部円筒１２９ｂの底面１２９ｂ１が合わさった状態（傘部１３９が下部円筒１２９ｂの空間１３８に収まった状態）で、下部円筒１２９ｂと傘部１３９との隙間がなくなる。これにより、塵埃吸引時の下部円筒１２９ｂと傘部１３９内との隙間への塵埃の入り込みを抑制している。また、下部円筒１２９ｂの側面部には、鍔部１２９ｂ２を設けており、この鍔部１２９ｂ２によって塵埃収容部１３５から塵埃分離部１３４への塵埃の戻りを抑制している。また、塵埃は鍔部１２９ｂ２以下に堆積するため、塵埃が鍔部１２９ｂ２を超える前を塵埃排出のタイミングとすると良い。
【０１６０】
＜流入口＞
図１８に示すように外筒１２８の背面には、流入口１４９および底蓋ロック機構１５０を備えている。流入口１４９は、図１９のＣ−Ｃ断面図に示すように、中心線（イ）と並行になる面（ロ）に設けており、流入口外壁面１４９ａは、外筒１２８の外径よりも外側にあり、中心線（ハ）と並行になる面から外筒１２８の側面と周方向で交わる曲面で形成されている。流入口１４９の開口は略四角形状で外筒１２８の外径より外に出ている。これは、外筒１２８と同心軸上に備えた内筒１２９と流入口１４９が、流入口１４９の面から見てオーバーラップしないようにするためである。流入口１４９の面から内筒１２９が臨める場合、流入した塵埃を含む空気が内筒１２９に衝突し、塵埃の分離性能が低下する。また、内筒１２９の側面はメッシュ部材１３６を掛け渡したフィルタ構造となっているため、メッシュ部材１３６に塵埃が貼り付くなどの不具合が発生し、吸引力が低下する恐れもある。また、本実施形態例のような流入口１４９配置は、圧力損失や騒音の低減にも有効である。本実施形態例と同じ開口面積の流入口１４９を外筒１２８の外径内に収めると、流入口１４９から内筒１２９が臨めるため、前述した不具合が発生する。従って、流入口１４９の幅方向を小さくする必要があり、流速が増加し圧力損失や騒音の増加となる。圧力損失や騒音が増加しないためには、流入口１４９のアスペクト比を変えて、上下方向に長い流入口１４９にして開口面積を確保することも考えられるが、流入口１４９の開口を上下方向に長くすると外筒１２８の上下方向が長くなるため、集塵装置２が大きくなる。本実施形態例は、スティック型・ハンディ型両用の掃除機であり、コンパクトな掃除機本体１が望まれ、集塵装置２においてもコンパクト化が必要である。従って、本実施形態例の集塵装置２により、掃除機本体１をコンパクト化した電気掃除機１００を提供することができる。
【０１６１】
また、先述したように、流入口１４９は図１９のＣ−Ｃ断面図に示す中心線（イ）と並行になる面（ロ面）に開口を設けている。その上、流入口１４９の開口を有する面（ロ面）は、外筒１２８の外径よりも内側（中心線（イ）側）に位置している。外筒１２８には後述する空気導入管１７が流体的に連結するため、流入口１４９の面（ロ面）を外筒１２８の最大外径よりも小さくなる面（ロ面）にすることで、空気導入管１７を含めた掃除機本体１の前後高さを小さくすることができる。言い換えると、空気導入管１７を外筒１２８の中心軸（ハ）の同一線上に設けずオフセットさせることで、掃除機本体１をコンパクト化した電気掃除機１００を提供することができる。
【０１６２】
また、本実施形態例では、流入口１４９は右側に設けているが、左側に設けても良く、流入した空気の旋回方向が反対方向になるが塵埃の分離性能などへの影響を考慮する必要はない。
【０１６３】
＜舞い戻り防止面＞
本実施形態例の外筒１２８は、図１５のＢ−Ｂ断面図に示すように、上方は円筒状の形状である。また、略中央部から集塵装置２の中心軸に対して略垂直方向外側に略水平に塵埃舞い戻り防止面１５１が設けられ、塵埃舞い戻り防止面１５１から下方が略円錐状に拡大していく形状である。塵埃舞い戻り防止面１５１は、外筒１２８上方の円筒状の内周面から約２．５ｍｍ外径側へ拡大されている。外筒１２８に内筒１２９を装着した状態において、内筒１２９の傘部１３９の下面は外筒１２８上方の円筒内にあり、内筒１２９の傘部１３９の下面（鍔部１３９ｃ以下）に塵埃が堆積する。よって、塵埃舞い戻り防止面１５１によって、下部の塵埃収容部１３５に堆積した塵埃や、塵埃収容部１３５から戻る空気に含まれる塵埃が外筒１２８内面に沿って舞い戻ることを防止する。これにより、内筒１２８側面のメッシュ部材１３６への塵埃の貼り付きや、メッシュ部材１３６からの微細な塵埃の吹き抜けを抑制することができるため、吸引力の低下を抑えた集塵装置２を有する電気掃除機１００を提供することができる。
【０１６４】
また、塵埃舞い戻り防止面１５１を設け、塵埃舞い戻り防止面１５１から下方を略円錐状とすることで外筒１２８の容積を拡大し、より多くの塵埃を堆積できる。本実施形態例では集塵装置２の中心軸を鉛直方向にした状態で約８度傾斜している。
【０１６５】
また、本実施形態例の電気掃除機１００は、スティック型・ハンディ型両用の構造であり、ハンディ型の状態では、掃除機本体１の体勢が様々で、集塵装置２の上部（第二のフィルタ１３０側）が下向きになる場合がある。その際、前述したような塵埃舞い戻り防止面１５１を設けることで塵埃収容部１３５から塵埃分離部１３４への塵埃の戻りの抑制に有効である。
【０１６６】
本実施形態例では、スティック型・ハンディ型両用の電気掃除機１００の集塵装置２について述べたが、床移動タイプのサイクロン掃除機においても、前述したような塵埃舞い戻り防止面１５１を設けることで、塵埃収容部１３５から塵埃分離部１３４への塵埃の戻りを抑制することができるため、微細塵埃の吹抜けや塵埃の圧縮に効果がある。
【０１６７】
＜蓋ロック機構＞
図１８に示すように外筒１２８のフィルタ受け部１３１の対面側（外筒１２８下部側）の下開口１２８ｄには、底蓋１３３を開閉可能に設ける。底蓋１３３形状についての詳細は後述する。
【０１６８】
また、外筒１２８下部の背面には底蓋１３３を係止する底蓋ロック機構１５０を備えている。底蓋ロック機構１５０は、蓋ロックカバー１５３、ボタン１５４、バネ（図示せず）で構成されている。詳細は省略するが、ボタン１５４はバネで付勢されており、ボタン１５４を押すことで、ボタン１５４と一体になった爪部(図示せず)が回動し、底蓋１３３に設けた掛かり部１５６からボタン１５４の爪部（図示せず）が外れ、底蓋１３３が開く。爪部および掛かり部１５６には、互いに斜面を形成しており（図示せず）、底蓋１３３を閉める動作で斜面同士が接触し、さらに底蓋１３３を押し上げることで、ボタン１５４が回転力を得てバネが縮み、爪部は掛かり部１５６を乗り越え再び底蓋１３３が閉じられる。
【０１６９】
＜底蓋＞
底蓋１３３は深さをもった皿状で、上面の外周にはパッキング１５７を備えており、底蓋１３３を閉じた際、外筒１２８底部との気密を保持できる。底蓋１３３は皿状にすることで強度を増している。また、外周の一部には先述した外筒１２８と底蓋１３３を係止する掛かり部１５６を、対面には外筒１２８下部と軸支されるヒンジ部１５８を備えている。
【０１７０】
底蓋１３３の底面（裏側面）には、掃除機本体１のパイプケース部１３側に窪み部１１６を備えており、掃除機本体１の集塵装置固定突起１１７と底蓋１３３底面の窪み部１１６が嵌合する形状となっている。先述したように、掃除機本体１に集塵装置２を装着する際は、底蓋１３３底面の窪み部１１６を掃除機本体１の集塵装置固定突起１１７に嵌合させて、突起部を起点に集塵装置２を掃除機本体１側へ押し付ける。そして、先述した上蓋１３２上部のロックボタン１１９により、集塵装置２は掃除機本体１と一体になる。従って、集塵装置２を掃除機本体１に装着すると、底蓋ロック機構１５０は掃除機本体１側に隠れる。これは、底蓋ロック機構１５０を反対側（外側）に設けた場合、掃除の際に底蓋ロック機構１５０を解除する恐れがあり誤動作を防止するためである。たとえば、スティック型の状態でソファーやベッドの下を掃除するときなど、掃除機本体１を床面に対して水平に近づける場合があるが、このとき、底蓋ロック機構１５０を後方に設けた場合は、床面と接触して底蓋ロック機構１５０が解除される可能性がある。底蓋ロック機構１５０とヒンジ部１５８の位置はこの限りでなく、掃除機本体１に対し左右に設けても構わない。左右に設けることで、先述した誤動作を防止することができるとともに、ヒンジ部１５８の突出が無くなるため、掃除機本体１の前後方向の高さを小さくでき、コンパクト化が可能となる。
【０１７１】
また、皿状の底蓋１３３は中央が突出し、中央には突出した部分から凹みとなる窪み部１７０を備えている。また、窪み部１７０は、先述した筒体１４０の底面１４０ａの球形状の球半径よりも大きくしており、窪み部１７０の深さは、底蓋１３３が開状態（外筒１２８の底面に対して垂直状態）で窪み部１７０に水平面ができないようにしている。また、窪み部１７０は極力浅くしており、ごみ排出の際に窪み部１７０に塵埃が残らないようにしている。
【０１７２】
本実施形態例では、窪み部１７０を別体で形成しており、底蓋１３３開閉での筒体１４０との摩擦による部材の磨耗を低減するようにＰＯＭ（ポリオキシメチレン）などの材料を用いているが、一体で成形しても構わない。
【０１７３】
以上のような外筒１２８および内筒１２９の構造において、外筒１２８に内筒１２９を装着することで、内筒１２９に設けた摺動機構は、外筒１２８下部に設けた底蓋１３３の開閉によって行われる。底蓋１３３を開けた状態は傘部１３９が下方に突出しており、底蓋１３３を閉じるとバネ１４２が縮み、傘部１３９が下部円筒１２９ｂ内に収まる。従って、ごみ捨て時に底蓋１３３の底蓋ロック機構１５０を解除すると、傘部１３９が下向きに飛び出し塵埃を押し出す。
【０１７４】
＜掃除機本体内に吸い込まれた塵埃を含む空気の流路＞
以上のような、外筒１２８、内筒１２９、第二のフィルタ１３０、第一のフィルタ１７１、上蓋１３２、底蓋１３３を組み合わせた集塵装置２を掃除機本体１に装着した状態での空気の流れを、説明する。
【０１７５】
ハンドル２に設けられた操作ボタン３１ａにより使用者が運転を開始すると、駆動する電動送風機４０（図４参照）によって例えば吸口体３から塵挨とともに吸込んだ空気流を、空気導入管１７を介して流入口１４９に受け入れる。なお、空気導入管１７の連通管１８の後端部は、外筒１２８の内周に沿って流れる旋回流２０１を形成するように流入口１４９に接続されている。流入した塵埃を含む空気は、旋回流となり、塵埃に遠心力が働き、塵埃と空気は分離される。つまり、塵埃分離部１３４にて、塵埃と空気とは分離される。分離された空気の多くは上部円筒１２９ａに設けた吸気口１２９ｃより内筒１２９の内部に流入する。そして、空気は第一のフィルタ１７１、第二のフィルタ１３０を通過し、上蓋１３２の上部開口を経て、電動送風機４０へ至る。このとき、吸気口１２９ｃのメッシュ部材１３６を通過した微細な塵埃は、第一のフィルタ１７１及び第二のフィルタ１３０で捕集される。
一方、遠心力で分離された塵埃は、重力と一部の空気流により外筒１２８と下部円筒１２９ｂとの間を通り、塵埃収容部１３５内に搬送される。このとき、塵埃には遠心力が働いているため、塵埃収容部１３５内で旋回する。そして、掃除機の使用を続けると、徐々に塵埃が堆積し塵埃収容部１３５が満杯になった状態でごみ捨てのタイミングとなる。塵埃収容部１３５内に流入した空気は、筒体１４０、傘部１３９の空間１３９ａ形状に沿って、下部円筒１２９ｂの外周付近から上部円筒１２９ａ側へ流れる。この空気の流れによる、塵埃の上部円筒１２９ａ側への戻りを抑制するためには傘部１３９の深さが必要である。本実施形態例では、下部円筒１２９ｂに塵埃を押し出す摺動機構を設けているため、傘部１３９には十分な深さを設けている。また、外筒１２８のテーパ部上端に設けた塵埃舞い戻り防止面１５１により、さらに塵埃の上部円筒１２９ａ側への戻りを抑制している。  塵埃収容部１３５に塵埃が満杯になったらごみ捨てを行うが、ごみ排出機構は前述した通りであり、吸引した塵埃の量が少ない場合でも、傘部１３９の摺動機構、及び外筒１２８の略円錐形状により、塵埃の排出は可能である。
【０１７６】
＜ごみ捨て時の動作＞
以上のような外筒１２８、内筒１２９、ごみ排出の摺動機構において、ごみ捨て時の動作を説明する。  底蓋１３３は、集塵装置２側面に設けた底蓋ロック機構１５０のボタン１５４を押すことで解除される。底蓋１３３は底蓋ロック機構１５０の反対側にヒンジ部１５８を備え、ヒンジ部１５８の回動動作により、底蓋１３３が略垂直（底蓋１３３の上面が垂直）状態になる。
【０１７７】
底蓋１３３が開くと同時に、バネ１４２によって傘部１３９及び筒体１４０が下向きに飛び出す。これにより、傘部１３９は、底蓋１３３が閉じた状態よりも底蓋１３３が開いた状態の方が、外筒１２８の下面の開口寄りの位置となる。この傘部１３９の摺動により、捕集した塵埃を下方に押し出す。
【０１７８】
ごみ捨て後、底蓋１３３を閉じる際、下方に飛び出した筒体１４０の底面１４０ａと、底蓋１３３の中央に設けた窪み部１７０が接触し、傘部１３９及び筒体１４０は上方へ押される。筒体１４０の底面１４０ａと窪み部１７０は球状に接するため、底蓋１３３を閉じる動作で底蓋１３３の角度が変わっても、筒体１４０の底面１４０ａと窪み部１７０との接触面積を一定に保つことができ、また、曲面同士を接触させることで常に垂直方向に力が加わるため、傘部１３９は下部円筒１２９ｂ内にスムーズに収まる。底蓋１３３に窪み部１７０を設けず平面で接触させる場合は力が加わる方向が平面に対し垂直になるため傘部１３９が垂直に戻り難く、底蓋１３３が閉め難くなる。そして、底蓋１３３を略水平状態まで閉じると、掛かり部１５６が爪部（図示せず）と接触し、底蓋１３３に設けたパッキング１５７で気密を保持した状態でロックされる。
【０１７９】
また、このように集塵装置２の下方から塵埃を排出する機構を備えることは、本実施形態例のような集塵装置２上方に本体端子部９を備える電気掃除機１００（充電式電気掃除機）に有効であり、集塵装置２上方（上蓋１３２側）に塵埃が付着することを抑制できるため、本体端子部９への塵埃の付着を防止でき安全である。
【０１８０】
＜集塵装置のお手入れ＞
ごみ捨て後、集塵装置２内に塵埃が残留した場合、特に内筒１２９の上部円筒１２９ａに長い髪の毛などが巻き付いた場合、本実施形態の集塵装置２は、集塵装置２下方から内筒１２９のみを取り外すことが可能である。また、取り外した内筒１２９の上部は上部円筒１２９ａの吸気部１２９ｃよりも出張る形状がないため、内筒１２９に長い髪などが巻き付いた際は、鋏などを用いて髪の毛を切り取り除くといった対応ではなく、巻き付いた髪の毛を内筒１２９の上方へ滑らせるように移動させることで簡単に取り除くことができ、お手入れが容易に行える。また、第二のフィルタ１３０と第一のフィルタ１７１のメンテナンスが必要な際は、上蓋１３２を開ける必要がある。上蓋１３２は上部ヒンジ部１３２ｄにより外筒１２８と回動可能に軸支されており、外筒１２８のフィルタ受け部１３１の背面の上蓋ロック機構１２１を解除することにより、上蓋１３２を略９０度近くまで開くことができる。また、第二のフィルタ１３０を手入れした後の取り付け忘れを防止するため、第二のフィルタ１３０を装着しない状態においては、上蓋ロック機構１２１のクランプ１２２は軸１２２ｂを支点に上蓋１３２の気密面１３２ａと干渉する位置まで回動し、第二のフィルタ１３０を装着すると、位置決めリブ１３０ｅがクランプ１２２の内側に収まり、クランプ１２２は軸１２２ｂを支点に上蓋１３２の気密面１３２ａと干渉しない位置まで押し戻されるため、上蓋１３２が閉じることが可能となる。
【符号の説明】
【０１８１】
１        掃除機本体
２        集塵装置
３        吸口体
９        本体端子部
１０      ケース
１１      モータケース部
１２      蓄電池ケース部
１３      パイプケース部
１４      導入管ケース部
１５      吸込口
１７      空気導入管
１８      連通管
２０      伸縮パイプ
２１      パイプ部材
３０      第１ハンドル
３１      操作部
３３      第２ハンドル
３６      スイッチ基板
３９      トリガー
４０      電動送風機
１２１    上蓋ロック機構
１２２    クランプ
１２２ａ  爪部
１２２ｂ  軸
１２７    細塵防壁リブ
１２７ａ  固定突起部
１２７ｂ  レール受けリブ
１２８    外筒
１２８ａ  区画壁
１２８ｂ  開口
１２８ｃ  収納壁
１２８ｄ  下開口
１２９    内筒
１２９ａ  上部円筒
１２９ｂ  下部円筒
１２９ｂ１  底面
１２９ｂ２  鍔部
１２９ｃ  吸気部
１２９ｄ  開口
１２９ｅ  固定凹レール部
１２９ｆ  レール突起部
１３０    第二のフィルタ
１３０ａ  枠体
１３０ｂ  鍔部
１３０ｃ、１３０ｄ  パッキング
１３０ｅ  位置決めリブ
１３０ｆ  三角リブ
１３１    フィルタケース受け部
１３１ａ  上開口
１３１ｂ  フィルタ当接部
１３１ｃ  クランプ受け部
１３１ｄ  バネ受け部
１３２    上蓋
１３２ａ  気密面
１３２ｂ  爪部
１３２ｃ  パッキング
１３２ｄ  上部ヒンジ機構
１３３    底蓋
１３４    塵埃分離部
１３５    塵埃収容部
１３６    メッシュ部材
１３８    空間
１３９    傘部
１３９ａ  凹部
１３９ｂ  底面
１３９ｃ  段差部
１４０    筒体
１４０ａ  底面
１４１    凸部
１４２    圧縮ばね
１４７    フィルタ部材
１４９    流入口
１４９ａ  流入口外壁面
１５０    底蓋ロック機構
１５１    塵埃舞い戻り防止面
１５３    蓋ロックカバー
１５４    ボタン
１５６    掛かり部
１５７    パッキング
１５８    ヒンジ部
１７０    窪み部
１７１    第一のフィルタ
２０１    旋回流
２０２    迂回流路
２０３    迂回流路
２１０    開口部
【図１】
2019004960.tif 000003
【図２】
2019004960.tif 000004
【図３】
2019004960.tif 000005
【図４】
2019004960.tif 000006
【図５】
2019004960.tif 000007
【図６】
2019004960.tif 000008
【図７】
2019004960.tif 000009
【図８】
2019004960.tif 000010
【図９】
2019004960.tif 000011
【図１０】
2019004960.tif 000012
【図１１】
2019004960.tif 000013
【図１２】
2019004960.tif 000014
【図１３】
2019004960.tif 000015
【図１４】
2019004960.tif 000016
【図１５】
2019004960.tif 000017
【図１６】
2019004960.tif 000018
【図１７】
2019004960.tif 000019
【図１８】
2019004960.tif 000020
【図１９】
2019004960.tif 000021
【図２０】
2019004960.tif 000022
【図２１】
2019004960.tif 000023
【図２２】
2019004960.tif 000024